(57)【要約】【課題】端末装置において、情報処理装置に印刷データを送信し、画像形成装置において印刷を行うための作業を簡素化することができるようにする。【解決手段】複数の入力ポートＥ１〜Ｅ３と、入力ポートＥ１〜Ｅ３ごとの印刷データの処理に関する設定値が記録された記憶部Ｍ１〜Ｍ３と、指定された入力ポートＥ１〜Ｅ３に対応する記憶部Ｍ１〜Ｍ３の設定値を取得し、設定値に基づいて印刷データの処理を行い、印刷データを画像形成装置に送信する制御部１７とを有する。端末装置において入力ポートＥ１〜Ｅ３を指定し、印刷の指示を送信するだけで、所定の画像形成装置において印刷が行われる。画像形成装置において印刷を行うための作業を簡素化することができる。【選択図】図１
2018120514.tif 000002
【特許請求の範囲】
【請求項１】
（ａ）複数の入力ポートと、
（ｂ）各入力ポートに対応させて配設され、入力ポートごとの印刷データの処理に関する設定値が記録された記憶部と、
（ｃ）端末装置によって入力ポートが指定され、端末装置から印刷の指示が送信されたときに、前記指定された入力ポートに対応する記憶部の設定値を取得し、該設定値に基づいて印刷データの処理を行い、印刷データを画像形成装置に送信する制御部とを有することを特徴とする情報処理装置。
【請求項２】
（ａ）入力ポート及び接続される画像形成装置に対応させて配設された複数の出力ポートと、
（ｂ）各入力ポート及び出力ポートに対応させて配設され、各画像形成装置において印刷を行うためのプリンタドライバを備えたプリンタドライバ部とを有するとともに、
（ｃ）前記制御部は、前記設定値に基づいて、対応するプリンタドライバ部のプリンタドライバを駆動することによって、印刷データを出力ポートから画像形成装置に送信する請求項１に記載の情報処理装置。
【請求項３】
（ａ）印刷データを変換するための複数の変換処理部を有するとともに、
（ｂ）前記制御部は、印刷データを変換する機能を備えない画像形成装置に送信される印刷データを、前記設定値で設定された変換処理部において変換する請求項１又は２に記載の情報処理装置。
【請求項４】
前記制御部は、前記設定値に基づいて、記憶装置内に印刷の対象となるファイルが記録されているかどうかを確認し、印刷の対象となるファイルが記録されている場合に、該ファイルの印刷データを読み出し、画像形成装置に送信する請求項１〜３のいずれか１項に記載の情報処理装置。
【請求項５】
端末装置によって所定の入力ポートが指定された場合に、印刷データは、ファイルとして入力ポートに対応させて記憶装置に記録される請求項４に記載の情報処理装置。
【請求項６】
前記制御部は、端末装置によって所定の入力ポートが指定された場合に、端末装置から送信された印刷データについて、印刷データの処理を行うことなく、出力ポートから画像形成装置に送信する請求項１〜４のいずれか１項に記載の情報処理装置。
【請求項７】
前記請求項１〜６のいずれか１項に記載の情報処理装置、端末装置及び画像形成装置から成る画像形成システム。
【発明の詳細な説明】
【技術分野】
【０００１】
本発明は、情報処理装置及び画像形成システムに関するものである。
【背景技術】
【０００２】
従来、端末装置としての複数のクライアントコンピュータ、画像形成装置としての複数のプリンタ及び情報処理装置としてのサーバ装置がネットワークを介して接続され、サーバ装置によって、所定のクライアントコンピュータから送信された印刷データが指定されたプリンタに送信され、該プリンタにおいて印刷を行うことができるようにした画像形成システムとしての印刷システムが提供されている。
【０００３】
該印刷システムにおいて、サーバ装置は、複数の出力ポートを備え、各出力ポートを介してそれぞれ対応するプリンタと接続されるとともに、接続された各プリンタのプリンタドライバを備え、プリンタドライバを使用して、所定のクライアントコンピュータから送信された印刷データを指定されたプリンタに送信し、該プリンタにおいて印刷を行う。
【０００４】
この場合、クライアントコンピュータごとにプリンタドライバを備える必要がなく、サーバ装置が備える一つのプリンタドライバを使用して、印刷データを所望のプリンタに送信し、印刷を行うことができる（例えば、特許文献１参照。）。
【先行技術文献】
【特許文献】
【０００５】
【特許文献１】特開２０１２−１９４７４４号公報
【発明の概要】
【発明が解決しようとする課題】
【０００６】
しかしながら、前記従来の印刷システムにおいては、入力ポートが一つ配設されるだけであるので、印刷データごとに印刷設定を異ならせて印刷を行う場合、複数のプリンタドライバを備えたクライアントコンピュータから、指定したプリンタに印刷データを送信するのと同じになってしまう。
【０００７】
したがって、各プリンタに印刷データを送信し、プリンタにおいて印刷を行うために、クライアントコンピュータにおいて多くの設定を行う必要があり、そのための作業が煩わしい。
【０００８】
本発明は、前記従来の印刷システムの問題点を解決して、端末装置において、情報処理装置に印刷データを送信し、画像形成装置において印刷を行うための作業を簡素化することができる情報処理装置及び画像形成システムを提供することを目的とする。
【課題を解決するための手段】
【０００９】
そのために、本発明の情報処理装置においては、複数の入力ポートと、各入力ポートに対応させて配設され、入力ポートごとの印刷データの処理に関する設定値が記録された記憶部と、端末装置によって入力ポートが指定され、端末装置から印刷の指示が送信されたときに、前記指定された入力ポートに対応する記憶部の設定値を取得し、該設定値に基づいて印刷データの処理を行い、印刷データを画像形成装置に送信する制御部とを有する。
【発明の効果】
【００１０】
本発明によれば、情報処理装置においては、複数の入力ポートと、各入力ポートに対応させて配設され、入力ポートごとの印刷データの処理に関する設定値が記録された記憶部と、端末装置によって入力ポートが指定され、端末装置から印刷の指示が送信されたときに、前記指定された入力ポートに対応する記憶部の設定値を取得し、該設定値に基づいて印刷データの処理を行い、印刷データを画像形成装置に送信する制御部とを有する。
【００１１】
この場合、入力ポートが指定されると、記憶部に記録された設定値に基づいて、必要な印刷データの処理が行われ、印刷データが出力ポートから画像形成装置に送信される。
【００１２】
したがって、端末装置において情報処理装置の入力ポートを指定し、印刷の指示を送信するだけで、設定値に基づいて印刷データの処理が行われ、所定の画像形成装置において印刷が行われる。その結果、端末装置において、情報処理装置に印刷データを送信し、画像形成装置において印刷を行うための作業を簡素化することができる。
【図面の簡単な説明】
【００１３】
【図１】本発明の実施の形態におけるサーバ装置の制御ブロック図である。
【図２】本発明の実施の形態における印刷システムの概念図である。
【図３】本発明の実施の形態における設定値記憶部の各記憶部に記録された設定値の例を示す図である。
【図４】本発明の実施の形態における印刷システムの動作を説明するフローチャートである。
【発明を実施するための形態】
【００１４】
以下、本発明の実施の形態について図面を参照しながら詳細に説明する。この場合、端末装置としてのクライアントコンピュータ、画像形成装置としてのプリンタ及び情報処理装置としてのサーバ装置から成る画像形成システムとしての印刷システムについて説明する。
【００１５】
図２は本発明の実施の形態における印刷システムの概念図である。
【００１６】
図において、１０は印刷システム、１１はサーバ装置（プリントサーバ）、Ｃｐｉ（ｉ＝１、２、３）はクライアントコンピュータ、Ｐｒｊ（ｊ＝１、２、３）はプリンタ、Ｎｔはインターネット、ＬＡＮ等のネットワークである。前記サーバ装置１１、クライアントコンピュータＣｐｉ及びプリンタＰｒｊはネットワークＮｔを介して接続される。
【００１７】
本実施の形態においては、サーバ装置１１に、３台のクライアントコンピュータＣｐｉ及び３台のプリンタＰｒｊが接続されているが、任意の台数のクライアントコンピュータＣｐｉ及び任意の台数のプリンタＰｒｊを接続することができる。
【００１８】
所定のクライアントコンピュータが、サーバ装置１１に印刷データを送信し、印刷を指示すると、サーバ装置１１は各プリンタＰｒｊのうちの１台のプリンタを選択し、該プリンタに印刷データを送信するとともに、印刷の指示を送信する。そして、選択されたプリンタは、印刷データに従って印刷を行う。
【００１９】
次に、サーバ装置１１について説明する。
【００２０】
図１は本発明の実施の形態におけるサーバ装置の制御ブロック図である。
【００２１】
サーバ装置１１は、前述されたように、ネットワークＮｔを介して、各クライアントコンピュータＣｐｉ（図２）及びプリンタＰｒｊに接続されるとともに、第１の記憶装置としての外部ファイル記憶装置１３に接続される。そのために、サーバ装置１１は、入出力インタフェース１５を備え、該入出力インタフェース１５を介してネットワークＮｔとの間でデータの入出力を行う。
【００２２】
前記外部ファイル記憶装置１３は、ハードディスク等の記憶媒体から成り、クライアントコンピュータＣｐｉが印刷しようとするファイルを外部ファイル記憶装置１３にコピーし、所定の入力ポートを指定して印刷の指示をサーバ装置１１に送信すると、サーバ装置１１は、外部ファイル記憶装置１３の指定されたフォルダ内にファイルがあるかどうかを定期的に確認し、ファイルがある場合、ファイルを読み出し、所定のプリンタにおいてファイルの印刷データに従って印刷を行う。
【００２３】
また、サーバ装置１１は、制御部１７、入力部１８、出力部１９、第２の記憶装置としての内部ファイル記憶装置２０等を備える。該内部ファイル記憶装置２０は、ハードディスク等の記憶媒体から成り、入力部１８を介して受信したファイルを記録する。
【００２４】
前記入力部１８には仮想ポートから成る複数の、本実施の形態においては、三つの入力ポートＥｋ（ｋ＝１、２、３）が、前記出力部１９には仮想ポートから成る複数の、本実施の形態においては、三つの出力ポートＦｊ（ｊ＝１、２、３）が配設される。該出力ポートＦｊ（ｊ＝１、２、３）は、入力ポートＥｋ、及び接続されるプリンタＰｒｊに一対一で対応させて配設される。なお、本実施の形態においては、入力部１８に三つの入力ポートＥｋが、出力部１９に三つの出力ポートＦｊが配設されるようになっているが、それぞれ、四つ以上の入力ポートＥｋ及び出力ポートＦｊを備えることができる。
【００２５】
各クライアントコンピュータＣｐｉは、所定のプリンタによって所定のファイルについて印刷を行う場合、サーバ装置１１の入力部１８の各入力ポートＥｋのうちの所定の入力ポートを選択し、サーバ装置１１に印刷データを送るか、又は外部ファイル記憶装置１３にファイルをコピーし、印刷を指示する。
【００２６】
なお、各入力ポートＥｋのうちの入力ポートＥ３は前記内部ファイル記憶装置２０と接続され、クライアントコンピュータＣｐｉから入力ポートＥ３が指定されて印刷データが送信されると、前記制御部１７は、印刷データのファイルを内部ファイル記憶装置２０内の印刷の指示で指定されたフォルダ内に記録する。
【００２７】
前記制御部１７は、管理部２１、第３の記憶装置としてのメモリ２３、第１の変換部としての変換処理部Ｒｓ１、第２の変換部としての変換処理部Ｒｓ２、プリンタドライバ部Ｄｒｊ（ｊ＝１、２、３）等を備える。
【００２８】
前記管理部２１は印刷データの出力先を管理する。そのために、前記管理部２１は、印刷データの出力先のプリンタを選択する画像形成装置選択部としてのプリンタ選択部２５、及び印刷データの処理方法を規定する設定値が記録された設定値記憶部２７を備え、該設定値記憶部２７は、入力部１８の各入力ポートＥｋに対応させて配設された記憶部Ｍｋ（ｋ＝１、２、３）を備える。各記憶部Ｍｋには、入力ポートＥｋと対応させてあらかじめ設定された、入力ポートＥｋごとの印刷データの処理に関する設定値が記録される。
【００２９】
また、前記メモリ２３は、ＲＯＭ、ＲＡＭ、ハードディスク等から成り、ＲＯＭにプログラムが、ＲＡＭ及びハードディスクに各種のデータが記録される。また、ＲＡＭは、一時的にデータを記録するためのバッフアとして、かつ、各種の処理行うためのワークエリアとして機能する。前記制御部１７は、ＲＯＭに記録されたプログラムに従って、サーバ装置１１の全体の制御を行う。
【００３０】
そして、前記変換処理部Ｒｓ１、Ｒｓ２は、入力ポートＥｋに入力される各印刷データをプリンタドライバ部Ｄｒｊに出力するために変換し、例えば、変換処理部Ｒｓ１は、ＣＡＤ図面データ等のＨＰ−ＧＬ形式の印刷データを変換してラスタライズし、変換処理部Ｒｓ２は、ＰＤＦ形式の印刷データを変換してラスタライズする。
【００３１】
また、前記プリンタドライバ部Ｄｒｊは、入力ポートＥｋ、出力ポートＦｊ及びプリンタＰｒｊに対応させて配設され、各プリンタＰｒｊにおいて印刷を行うための図示されないプリンタドライバを備える。前記制御部１７は、設定値に基づいて、所定のプリンタドライバ部Ｄｒｊのプリンタドライバを駆動することによって、印刷データを、対応する出力ポートからプリンタに送信する。
【００３２】
前記構成の印刷システム１０において、例えば、所定のクライアントコンピュータＣｐｉが、サーバ装置１１に印刷データを送信し、印刷データに従って入力ポートＥ１を指定して印刷を行う場合、制御部１７は、設定値記憶部２７において入力ポートＥ１に対応する記憶部Ｍ１に記録された設定値を読み出すことによって取得し、該設定値に基づいて印刷データの処理を行い、プリンタ選択部２５によって、所定の出力ポートを選択し、処理が行われた印刷データを選択された出力ポートに対応するプリンタに送信する。
【００３３】
なお、印刷データを、印刷データを変換する機能を有しないプリンタに送信する必要がある場合、前記制御部１７は、前記設定値で設定された変換処理部Ｒｓ１、Ｒｓ２によって印刷データを変換し、前記設定値で設定されたプリンタドライバ部Ｄｒｊのプリンタドライバを駆動して印刷データをプリンタに送信することができる。
【００３４】
また、前記制御部１７は、所定の入力ポートが指定され、所定のクライアントコンピュータから送信された印刷データについて、印刷データの処理を行うことなく、出力ポートからプリンタに送信することができる。
【００３５】
ところで、本実施の形態において、出力ポートＦ１には、Ａ４判又はＡ３判の用紙がセットされたモノラルのプリンタＰｒ１が接続され、出力ポートＦ２には、幅がＡ１判に対応するロール紙がセットされたモノラルのプリンタＰｒ２が接続され、該プリンタＰｒ２は、所定の印刷データについて印刷を行うことができるように、印刷言語を解析し、印刷データを変換してラスタライズする機能を備え、Ａ１判までの印刷を行うことができる。そして、出力ポートＦ３には、Ａ４判又はＡ３判の用紙がセットされたカラーのプリンタＰｒ３が接続される。
【００３６】
例えば、所定のクライアントコンピュータがＨＰ−ＧＬ形式の印刷データをサーバ装置１１に送信し、印刷を指示すると、制御部１７は、設定値記憶部２７において入力ポートＥｋごとに記憶部Ｍｋに記録された設定値を読み出し、設定値に従って、出力ポート及び該出力ポートに対応するプリンタを選択し、該プリンタにおいて印刷を行う。
【００３７】
ＨＰ−ＧＬ形式の印刷データを印刷することができるプリンタが選択された場合は、該プリンタにおいて印刷データを変換することなく印刷が行われ、ＨＰ−ＧＬ形式の印刷データを印刷することができないプリンタが選択された場合は、前記変換処理部Ｒｓ２において、ＨＰ−ＧＬ形式の印刷データが変換される。
【００３８】
このように、本実施の形態においては、所定の入力ポートを指定し、所定の形式の印刷データをサーバ装置１１へ送信するようになっているので、サーバ装置１１において必要な場合にだけ印刷データを変換することになる。したがって、サーバ装置１１における処理にかかる負荷を軽減することができる。
【００３９】
図３は本発明の実施の形態における設定値記憶部の各記憶部に記録された設定値の例を示す図である。
【００４０】
設定値記憶部２７には、前述されたように、各入力ポートＥｋに対応させて記憶部Ｍｋが配設され、各記憶部Ｍｋに、入力部１８に入力された印刷データについてあらかじめ決められた処理方法が設定値として記録される。すなわち、記憶部Ｍ１には、入力ポートＥ１に入力された印刷データについての処理方法が、記憶部Ｍ２には、入力ポートＥ２に入力された印刷データについての処理方法が、記憶部Ｍ３には、入力ポートＥ３に入力された印刷データについての処理方法が、設定値として記録される。
【００４１】
該設定値は、入力ポートＥｋ、印刷データを出力する出力ポートＦｊ、印刷データの変換方法、印刷する用紙の用紙サイズ、及び指定されたフォルダの監視の有無から成る。
【００４２】
なお、フォルダの監視の有無とは、外部ファイル記憶装置１３又は内部ファイル記憶装置２０において、指定されたフォルダ内に印刷の対象となるファイルが記録されているかどうかを定期的に確認するかどうかをいう。
【００４３】
したがって、設定値が「監視あり」である場合、外部ファイル記憶装置１３及び内部ファイル記憶装置２０において、印刷の指示で指定されたフォルダ内に印刷の対象となるファイルが記録されているかどうかが定期的に確認され、指定されたフォルダ内に印刷の対象となるファイルが記録されている場合は、ファイルの印刷データが読み出され、ファイルについて印刷が行われ、指定されたフォルダ内に印刷の対象となるファイルが記録されていない場合は、印刷が行われない。
【００４４】
また、設定値が「監視なし」である場合、クライアントコンピュータから外部ファイル記憶装置１３にファイルがコピーされていたり、入力ポートＥ３が指定されてファイルの印刷データがサーバ装置１１に送信されていたりすることはないので、制御部１７は、外部ファイル記憶装置１３及び内部ファイル記憶装置２０において、指定されたフォルダ内に印刷の対象となるファイルが記録されているかどうかの監視を行わない。
【００４５】
本実施の形態においては、記憶部Ｍ１に、「入力ポートＥ１」、「出力ポートＦ１」、「変換処理部Ｒｓ１」、「Ａ４判及びＡ３判は原寸、Ａ３判より大きい場合はＡ３判に縮小」及び「監視なし」が、設定値として記録される。
【００４６】
したがって、入力ポートＥ１に入力された印刷データは、変換処理部Ｒｓ１において変換され、原稿のサイズがＡ４判又はＡ３判である場合、用紙サイズが原寸のままにされ、原稿のサイズがＡ３判より大きい場合、用紙サイズがＡ３判に縮小され、出力ポートＦ１からプリンタＰｒ１に送信される。
【００４７】
また、記憶部Ｍ２に、「入力ポートＥ２」、「出力ポートＦ２」、「変換なし」、「原寸」及び「監視なし」が、設定値として記録される。
【００４８】
したがって、入力ポートＥ２に入力された印刷データは、変換されず、原稿のサイズにかかわらず用紙サイズが原寸のままにされ、出力ポートＦ２からプリンタＰｒ２に送信される。
【００４９】
そして、記憶部Ｍ３に、「入力ポートＥ３」、「出力ポートＦ３」、「変換処理部Ｒｓ２」、「Ａ３判までは原寸、Ａ３判より大きい場合はＡ３判に縮小」及び「監視あり」が、設定値として記録される。
【００５０】
したがって、制御部１７によって、内部ファイル記憶装置２０の指定されたフォルダ内に印刷の対象となるファイルが記録されているかどうかが定期的に確認され、ファイルが記録されている場合、ファイルの印刷データがフォルダから読み出され、変換処理部Ｒｓ２において変換され、原稿のサイズがＡ３判までは、用紙サイズが原寸のままにされ、原稿のサイズがＡ３判より大きい場合、用紙サイズがＡ３判に縮小され、出力ポートＦ３からプリンタＰｒ３に送信される。
【００５１】
なお、本実施の形態においては、記憶部Ｍ３に、「出力ポートＦ３」、「変換処理部Ｒｓ２」及び「Ａ３判までは原寸、Ａ３判より大きい場合はＡ３判に縮小」が設定値として記録され、フォルダから読み出された印刷データは、変換処理部Ｒｓ２において変換されて出力ポートＦ３からプリンタＰｒ３に送信されるようになっているが、記憶部Ｍ３において、変換方法として「変換なし」を、用紙サイズとして「原寸」を記録することによって、入力された印刷データの原稿のサイズがＡ３判までは、例えば、印刷データを出力ポートＦ１からプリンタＰｒ１に送信し、原稿のサイズがＡ３判より大きい場合、例えば、印刷データを出力ポートＦ２からプリンタＰｒ２に送信するようにすることができる。
【００５２】
また、本実施の形態においては、内部ファイル記憶装置２０に記録されたフォルダが監視の対象になっているが、外部ファイル記憶装置１３に記録されたフォルダが監視の対象になっている場合、制御部１７は、外部ファイル記憶装置１３の指定されたフォルダ内に印刷の対象となるファイルが記録されているかどうかを定期的に確認し、ファイルが記録されている場合、ファイルの印刷データをフォルダから読み出し、設定値として設定された印刷データについての処理方法に従って印刷を行う。
【００５３】
そして、本実施の形態において、管理部２１のプリンタ選択部２５は、記憶部Ｍｋに記録された設定値に基づいてプリンタを選択するようになっているが、設定値において、入力された印刷データの原稿のサイズに対して用紙サイズが原寸のままにされた場合、印刷を行うことができないプリンタを選択することなく、原寸の用紙サイズで印刷を行うことができるプリンタを選択することができる。
【００５４】
例えば、「入力ポートＥ１」に印刷データが入力された場合において、印刷データの原稿のサイズがＡ３判以下である場合は、「出力ポートＦ１」を選択し、印刷データの原稿のサイズがＡ３判より大きい場合は、「出力ポートＦ２」を選択し、印刷データの変換において「変換処理部Ｒｓ１」を選択し、用紙サイズにおいて「原寸」を選択し、監視の有無において「監視なし」を選択することによって、印刷データに応じて出力ポートを変更し、プリンタを選択することができる。なお、「変換処理部Ｒｓ１」によって変換された印刷データについては、出力ポートＦ２に対応したプリンタドライバ部Ｄｒ２のプリンタドライバが駆動されて印刷が行われる。
【００５５】
次に、前記印刷システム１０の動作について説明する。なお、この場合、設定値記憶部２７の各記憶部Ｍｋには、図３に示される各設定値が記録されている。
【００５６】
図４は本発明の実施の形態における印刷システムの動作を説明するフローチャートである。
【００５７】
クライアントコンピュータＣｐｉが、入力ポートＥｋを指定し、サーバ装置１１に印刷データ及び印刷の指示を送信すると、制御部１７はどの入力ポートＥｋに印刷データが入力されたかを判断する。
【００５８】
印刷データが入力ポートＥ１に入力された場合、制御部１７は、設定値記憶部２７の記憶部Ｍ１から設定値を読み出すことによって取得する。
【００５９】
そして、制御部１７は、印刷データを変換処理部Ｒｓ１によって変換し、プリンタ選択部２５によってプリンタＰｒ１を選択し、変換した印刷データを、プリンタドライバ部Ｄｒ１のプリンタドライバを駆動して、出力ポートＦ１からプリンタＰｒ１に送信する。
【００６０】
例えば、原稿のサイズがＡ２判であり、ＨＰ−ＧＬ形式のＣＡＤ図面のデータを印刷するに当たり、ＨＰ−ＧＬ形式の印刷データについて印刷することができないプリンタＰｒ１が使用される場合であっても、サーバ装置１１の入力ポートＥ１を指定して印刷を行うことができる。すなわち、印刷データを変換する機能を備えないプリンタを使用して印刷を行うことができる。
【００６１】
また、印刷データが入力ポートＥ２に入力された場合、制御部１７は、設定値記憶部２７の記憶部Ｍ２から設定値を読み出すことによって取得する。
【００６２】
そして、制御部１７は、印刷データを変換せず、プリンタ選択部２５によってプリンタＰｒ２を選択し、プリンタドライバ部Ｄｒ２のプリンタドライバを駆動して、印刷データを出力ポートＦ２からプリンタＰｒ２に送信する。
【００６３】
例えば、原稿のサイズがＡ２判であり、ＨＰ−ＧＬ形式のＣＡＤ図面のデータを印刷するに当たり、ＨＰ−ＧＬ形式の印刷データについて印刷することができるプリンタＰｒ２が使用される場合、サーバ装置１１の入力ポートＥ２を指定して印刷を行うことができる。すなわち、印刷データを変換する機能を備えるプリンタをそのまま使用して印刷を行うことができる。
【００６４】
また、印刷データが入力ポートＥ３に入力された場合、制御部１７は、設定値記憶部２７の記憶部Ｍ３から設定値を読み出すことによって取得する。
【００６５】
そして、制御部１７は、内部ファイル記憶装置２０において、指定されたフォルダ内に印刷の対象となるファイルが記録されているかどうかを確認する。印刷の対象となるファイルが記録されている場合、ＰＤＦ形式の印刷データを変換処理部Ｒｓ２によって変換し、プリンタ選択部２５によってプリンタＰｒ３を選択し、プリンタドライバ部Ｄｒ３のプリンタドライバを駆動して、変換した印刷データを出力ポートＦ３からプリンタＰｒ３に送信する。なお、印刷の対象となるファイルが複数記録されている場合は、フォルダ内のファイルが順に印刷される。
【００６６】
例えば、印刷したいＰＤＦ形式のファイルが複数ある場合、操作者は、入出力インタフェース１５を介して、内部ファイル記憶装置２０内の所定のフォルダに前記複数のファイルを記録することによって、一括で印刷を指示することができるので、ファイルを個別に開く必要がない。そして、制御部１７は、指定されたフォルダ内に記録された印刷の対象となるファイルについて、記憶部Ｍ３に記録された設定値に基づいて印刷を行う。各ファイルの印刷が終了すると、内部ファイル記憶装置２０内のファイルは消去され、印刷ログが残る。
【００６７】
このように、本実施の形態においては、入力ポートＥｋが指定されると、記憶部Ｍｋに記録された設定値に基づいて印刷データの処理が行われ、対応するプリンタドライバ部Ｄｒｊのプリンタドライバが駆動されて印刷データが出力ポートＦｊからプリンタＰｒｊに送信される。
【００６８】
したがって、クライアントコンピュータＣｐｉにおいて、サーバ装置１１の入力ポートＥｋを指定し、印刷の指示を送信するだけで、設定値に基づいて印刷データの処理が行われ、所定のプリンタにおいて印刷が行われるので、クライアントコンピュータＣｐｉにおいて、サーバ装置１１に印刷データを送信し、プリンタＰｒｊにおいて印刷を行うための作業を簡素化することができる。
【００６９】
次に、フローチャートについて説明する。
ステップＳ１  制御部１７はどの入力ポートＥｋに印刷データが入力されたかを判断する。入力ポートＥ１に印刷データが入力された場合はステップＳ２に進み、入力ポートＥ２に印刷データが入力された場合はステップＳ５に進み、入力ポートＥ３に印刷データが入力された場合はステップＳ７に進む。
ステップＳ２  制御部１７は記憶部Ｍ１から設定値を取得する。
ステップＳ３  制御部１７は印刷データを変換処理部Ｒｓ１によって変換する。
ステップＳ４  制御部１７はプリンタドライバ部Ｄｒ１のプリンタドライバを駆動し、出力ポートＦ１から印刷データを送信し、処理を終了する。
ステップＳ５  制御部１７は記憶部Ｍ２から設定値を取得する。
ステップＳ６  制御部１７はプリンタドライバ部Ｄｒ２のプリンタドライバを駆動し、出力ポートＦ２から印刷データを送信し、処理を終了する。
ステップＳ７  制御部１７は記憶部Ｍ３から設定値を取得する。
ステップＳ８  制御部１７はファイルが記録されているかどうかを確認する。
ステップＳ９  制御部１７はファイルが記録されているかどうかを判断する。ファイルが記録されている場合はステップＳ１０に進み、ファイルが記録されていない場合は処理を終了する。
ステップＳ１０  制御部１７は印刷データを変換処理部Ｒｓ２によって変換する。
ステップＳ１１  制御部１７はプリンタドライバ部Ｄｒ３のプリンタドライバを駆動し、出力ポートＦ３から印刷データを送信し、処理を終了する。
【００７０】
前記実施の形態においては、プリンタＰｒｊについて説明したが、本発明を複写機、ファクシミリ、複合機等の画像形成装置に適用することができる。
【００７１】
なお、本発明は前記実施の形態に限定されるものではなく、本発明の趣旨に基づいて種々変形させることが可能であり、それらを本発明の範囲から排除するものではない。
【符号の説明】
【００７２】
１１    サーバ装置
１７    制御部
Ｃｐｉ    クライアントコンピュータ
Ｅｋ    入力ポート
Ｍｋ    記憶部
Ｐｒｊ    プリンタ
【図１】
2018120514.tif 000003
【図２】
2018120514.tif 000004
【図３】
2018120514.tif 000005
【図４】
2018120514.tif 000006